(57)【要約】【課題】  チャンネル選局時に、ユーザが焦らずに、かつ所望のチャンネル番号を確認しながら入力できるように、これから入力する個々の数字ごとに入力可能な待機時間を表示するチャンネル選局待機時間表示装置を提供すること。  【解決手段】  選局するためのチャンネル番号入力手段と、当該チャンネル番号入力手段による数字入力に応答してカウントを開始し、当該カウント中にチャンネル番号入力手段による第１＋ｎ回目の数字入力に応答してカウントをリセット及び再開し、所定の選局待機時間の到来に応答してカウントを終了する選局待機時間タイマーと、当該選局待機時間タイマーの当該カウントを表示する選局待機時間表示手段と、当該チャンネル番号入力手段による入力数字の番号に応じたチャンネル選局を行なうチャンネル選局手段と、当該選局待機時間タイマーがカウントを終了したことに応答して当該チャンネル選局手段を作動させる制御手段とからなるチャンネル選局待機時間表示装置を提供する。【選択図】  図１
2008091973.tif 000002
【特許請求の範囲】
【請求項１】
選局するためのチャンネル番号入力手段と、
当該チャンネル番号入力手段による数字入力に応答してカウントを開始し、当該カウント中にチャンネル番号入力手段による第１＋ｎ回目の数字入力に応答してカウントをリセット及び再開し、所定の選局待機時間の到来に応答してカウントを終了する選局待機時間タイマーと、
当該選局待機時間タイマーの当該カウントを表示する選局待機時間表示手段と、
当該チャンネル番号入力手段による入力数字の番号に応じたチャンネル選局を行なうチャンネル選局手段と、
当該選局待機時間タイマーがカウントを終了したことに応答して当該チャンネル選局手段を作動させる制御手段と、
からなる、ｎは０を除く自然数である、チャンネル選局待機時間表示装置。
【請求項２】
当該チャンネル選局手段を作動させる選局コマンド入力手段を有する請求項1に記載のチャンネル選局待機時間表示装置。
【請求項３】
当該選局待機時間タイマーのカウントを一時停止させる一時停止コマンド入力手段を有する請求項１または２に記載のチャンネル選局待機時間表示装置。
【請求項４】
受信する放送波の種類を選択する放送波選択手段と、
当該放送波選択手段により選択された放送波の種類に対応するチャンネル番号の桁数に関連付けて当該選局待機時間を設定する選局待機時間設定手段と、を有する請求項１乃至３のいずれか１に記載のチャンネル選局待機時間表示装置。
【発明の詳細な説明】
【技術分野】
【０００１】
本発明は、チャンネル選局待機時間表示装置に関する。
【背景技術】
【０００２】
従来、テレビ放送受信機など放送データを受信する電子機器における選局装置については、選局のための待機時間を表示するさまざまな提案がなされている。たとえば、ニュースや天気予報などの文字放送番組をユーザが選局した場合に、当該番組に対応する文字放送データを受信機が記憶するために長い待機時間を必要とすることがあり、あとどれだけ待てばよいのか分からないので、ユーザにとって操作性が悪く、大きな負担となっていた。この問題を解決するために、特許文献１では、ユーザが選局した文字放送データが記憶されるまでの待機時間を計時して、その待機時間に対応する文字または図形の表示信号を生成し、その表示信号をテレビ放送の映像信号と合成してスーパーインポーズ表示することによって、ユーザに待機時間を知らせるようにした装置が開示されている。これにより、所望の番組がスタートするまでの待機時間をユーザが認識できるようになったので、ユーザにとっての大きな負担が解消されることになった。
【０００３】
また、複数の数字から構成されるテレビ放送局のチャンネル番号を、リモコン送信機の数値キーの押下げ操作などにより選局する場合に、押下げ操作により入力した数字が十の位の数字なのか、一の位の数字なのか、ユーザが容易に確認することができないことから、選局時の誤操作を誘発するという問題があった。この問題に対処するために、たとえば特許文献２では、リモコン送信機の数値キーの押下げ操作などによるチャンネル番号の選局操作時に、一つの数字が入力されてから次の数字が入力されるまでの無入力状態が所定時間に達したことをもって、チャンネル番号の入力操作が完了したと判定し、さらにチャンネル番号を構成する複数の数字のうち入力された数字を表示画面上に表示するとともに、入力中の数字の背景色を変えたり、入力中の位置に枠表示を行うなどして、入力された当該数字の位置を差別化して表示するようにした装置が開示されている。これにより、チャンネル番号を構成する複数の数字のうち、どの位置の数字を入力中なのかを、ユーザが容易に確認できるようになり、選局時の誤操作が削減されるようになった。
【０００４】
【特許文献１】特開平８−２５１５００号公報
【特許文献２】特開２００２−３４４８２８号公報
【０００５】
しかしながら、受信するテレビ放送波の種類によっては、たとえば６桁など多くの数字から構成されるチャンネル番号を有するものがある。ユーザが６桁の数字をリモコン送信機の数値キーなどで入力する場合には、所望のチャンネル番号を容易に暗記することができない。一つの数字を入力してから次の数字を入力するまでの待機時間がどのくらい残っているのか、ユーザには分からないので、次に入力すべき数字を確認している間に待機時間が尽了して、それまでの入力がすべて無効になってしまうことがあり、ユーザにとって操作性が悪く、再度の入力操作を強いられるという問題が残されている。また、リモコン送信機の数値キー入力の待機時間が不明なため、ユーザは焦って入力を完了させる必要があり、入力すべき数字の桁数が多くなればなるほど、選局時の誤操作をさらに誘発させるという問題も惹起している。こうした問題は、上記の先行技術によっても解決されることがなく、未解決のまま放置されている。
【発明の開示】
【発明が解決しようとする課題】
【０００６】
そこで、本発明は、チャンネル選局時に、ユーザが焦らずに、かつ所望のチャンネル番号を確認しながら入力できるように、これから入力する個々の数字ごとに入力可能な待機時間を表示するチャンネル選局待機時間表示装置を提供することを目的とする。さらに本発明は、チャンネル番号の桁数が少ない場合（アナログ放送のチャンネル番号など）には、これから入力する個々の数字ごとの入力可能な待機時間を短く設定し、チャンネル番号の桁数が多い場合（デジタル放送のチャンネル番号など）には、これから入力する個々の数字ごとの入力可能な待機時間を長く設定することにより、ユーザが焦らずに、かつ所望のチャンネル番号を正確に余裕をもって入力できるようにしたチャンネル選局待機時間表示装置を提供することを目的とする。
【課題を解決するための手段】
【０００７】
この目的を達成するために、本発明は、選局するためのチャンネル番号入力手段と、当該チャンネル番号入力手段による数字入力に応答してカウントを開始し、当該カウント中にチャンネル番号入力手段による第１＋ｎ回目の数字入力に応答してカウントをリセット及び再開し、所定の選局待機時間の到来に応答してカウントを終了する選局待機時間タイマーと、当該選局待機時間タイマーの当該カウントを表示する選局待機時間表示手段と、当該チャンネル番号入力手段による入力数字の番号に応じたチャンネル選局を行なうチャンネル選局手段と、当該選局待機時間タイマーがカウントを終了したことに応答して当該チャンネル選局手段を作動させる制御手段とからなる、ｎは０を除く自然数である、チャンネル選局待機時間表示装置を提供する。
【０００８】
また、本発明のチャンネル選局待機時間表示装置は、当該チャンネル選局手段を作動させる選局コマンド入力手段をさらに備えたことを特徴とする。また、本発明のチャンネル選局待機時間表示装置は、当該選局待機時間タイマーのカウントを一時停止させる一時停止コマンド入力手段をさらに備えたことを特徴とする。さらに、本発明のチャンネル選局待機時間表示装置は、受信する放送波の種類を選択する放送波選択手段と、当該放送波選択手段により選択された放送波の種類に対応するチャンネル番号の桁数に関連付けて当該選局待機時間を設定する選局待機時間設定手段とを備えたことを特徴とする。
【発明の効果】
【０００９】
本発明により、数値キーを使用するチャンネル選局時において、一つの数字を入力してから次の数字を入力するまでの待機時間が表示されるので、次の数字を入力するときに、その入力が有効か無効かをユーザは容易に判断することができ、正確なチャンネル番号の入力が可能となる。また、待機時間をカウントするタイマーに一時停止機能を設けることにより、数値キー入力の待機時間中に、次に入力すべき数字が分からなくても、待機時間の経過を気にすることなく、次に入力すべき数字を確認することができる。
【００１０】
また、本発明により、チャンネル番号の桁数に比例して数値キー入力の待機時間を設定することができるので、デジタル放送のチャンネル番号のように桁数の多い数字の入力が必要な場合でも、一つの数字を入力したあと、ユーザは焦らず余裕をもって正確に次の数字を入力することが可能になる。さらに、一つの数字を入力してから次の数字を入力するまでの数値キー入力の待機時間を、チャンネル番号の桁数にリンクしたマスの数で表示し、さらに時間の経過を色の変化で表示することなどにより、ユーザにとって視認性の高いユーザフレンドリーな待機時間の表示を行うことができる。
【発明を実施するための最良の形態】
【００１１】
本発明による具体的な実施形態を、以下、図１乃至４を参照して説明する。図１は、本発明のチャンネル選局待機時間表示装置を応用したリモコン送信機１とテレビ放送受信機２の一実施例の構成を示すブロック図である。リモコン送信機１は、テンキー３、一時停止キー４、決定キー５、リモコン制御部６、信号送信部７、および放送波種類選択キー３０、３１とから構成され、テンキー３、一時停止キー４、決定キー５、放送波種類選択キー３０、３１などを操作することによりユーザが入力したデータを、信号送信部７からテレビ放送受信機２のリモコン受光部８に送信する。
【００１２】
テレビ放送受信機２は、上記リモコン受光部８、マイコン９、チューナ１０、映像信号処理回路１１、同期分離回路１２、ＯＳＤ付加ブロック１３、および映像表示部１４から構成される。マイコン９は、前記リモコン受光部８が受信した信号に基づいて、当該テレビ放送受信機２の動作を制御する機能を有しており、タイマー桁数判断部２２、タイマー管理部２３、制御部２４、およびＯＳＤ表示部２５から構成される。チューナ１０は、アンテナ（図示せず）で受信したテレビ放送波のなかからマイコン９の指示によりユーザ所望のチャンネルの放送波を選局する。映像信号処理回路１１は、チューナ１０で選局されたテレビ放送波の信号に復調、復号などの処理を施し、映像表示部１４に出力する。同期分離回路１２は、チャンネル番号、メニュー表示などのＯＳＤ表示に必要な同期信号を映像信号から分離して、マイコン９に出力する。ＯＳＤ付加ブロック１３は、チューナ１０により選局され、映像信号処理回路１１で処理された映像信号に、マイコン９から出力されるＯＳＤ信号を付加して、映像表示部１４に出力する。
【００１３】
以上のように構成されたリモコン送信機１とチャンネル選局待機時間表示装置を含むテレビ放送受信機２において、以下、図２、図３、および図４を参照して、本発明によるチャンネル選局待機時間表示装置の動作を説明する。図２は、本発明の図１の実施例の動作を説明するためのフローチャートである。図３および図４は、それぞれ本発明のチャンネル選局待機時間表示装置におけるチャンネル番号および選局待機時間の表示変化の一例を示す図である。
【００１４】
先ず、図２のフローチャートのスタートで、ユーザはアナログ放送波で放映される番組を視聴しようとして、リモコン送信機１のアナログ放送波を選択する放送波種類選択キー３０を押下げる。アナログ放送波のチャンネル番号は、３桁の数字で構成されているものとして、以下説明を進める。アナログ放送波が選択されたことを示す信号が、リモコン送信機１の信号送信部７から、テレビ放送受信機２のリモコン受光部８を経て、マイコン９の制御部２４経由タイマー桁数判断部２２に伝送される。タイマー桁数判断部２２では、伝送された当該信号に基づいて、選択されたアナログ放送波のチャンネル番号の桁数である３桁に関連付けて、後述する選局待機時間をたとえば３秒として設定する。こうして設定された選局待機時間３秒という情報が、当該タイマー桁数判断部２２から制御部２４に伝送される。この選局待機時間３秒という情報は、制御部２４からＯＳＤ表示部２５を経てＯＳＤ付加ブロック１３に伝送され、後述するように、映像表示部１４においてマスの個数で表示される。
【００１５】
ユーザがアナログ放送の「１２３」のチャンネル番号を選局しようとしている場合、所望の「１２３」のチャンネル番号を入力するために、リモコン送信機１のテンキー３のなかから「１」の数値キーを押下げる（ステップＳ１のＹ）。ステップＳ２で、テレビ放送受信機２の制御部２４に内蔵されたタイマー（図示せず）が時間のカウントを開始する。
【００１６】
次にステップＳ３で、「１」の次のチャンネル番号の数字（この場合は「２」）が入力されるまでの選局待機時間が映像表示部１４に表示されるが、その詳細を以下により説明する。本フロ−チャートのスタートの時点で、アナログ放送波の受信が選択されたことにより、選局待機時間３秒という情報がマイコン９の制御部２４に伝送され、制御部２４からＯＳＤ表示部２５を経てＯＳＤ付加ブロック１３に伝送され、映像表示部１４においてこの選局待機時間をマスの個数で表示すると、先に説明したが、具体的には、映像表示部１４において図３の画像５０に示すように、右上に黒く塗りつぶされた３つのマスとして表示される。なお本事例においては、各マスは１秒の選局待機時間を表し、黒く塗りつぶされたマスは当該待機時間が未消費であり、各マスに対応する１秒の選局待機時間が消費されると当該マスは黒から白に変色するものとする。従って、図3の画像５０の右上に表示された３つの黒く塗りつぶされたマスは、次の数字（この場合は「２」）が入力されるまでの選局待機時間が３秒であることを示している。同時に、先に入力されたチャンネル番号「１」が、選局待機時間を表示する３つのマスの下に表示されている。図3の画像５０が表示されることによって、ユーザは次の数字（この場合は「２」）を入力するまでの選局待機時間が３秒であることを容易に知ることができる。
【００１７】
次にステップＳ４で、テンキー３による次の数字（この場合は「２」）の入力の有無が問われる。ユーザがまだ次の数字（この場合は「２」）を入力していない場合は（ステップＳ４のＮ）、ステップＳ５に進み、次の数字（この場合は「２」）が入力されるまでの選局待機時間を確認する。当初の「１」の数字の入力から１秒が経過したときの選局待機時間は、当初の３秒から１秒がマイナスされて２秒になる。制御部２４は、選局待機時間が３秒から2秒に変更されたという情報をＯＳＤ表示部２５経由映像表示部１４に伝送する。この情報に基づき、映像表示部１４において図３の画像５１に示すように、右上の３つのマスのうち左端のマスが黒から白に変色した画像が表示される（ステップＳ６）。この画像により、ユーザは次の数字（この場合は「２」）を入力するまでの選局待機時間が当初の３秒から２秒に減ったことを容易に知ることができる。
【００１８】
次にステップＳ７で、次の数字（この場合は「２」）を入力するまでの選局待機時間が終了したかどうかが問われる。現時点での選局待機時間は２秒であり、まだ終了していないので（ステップＳ７のＮ）、ステップＳ４に戻り、次の数字（この場合は「２」）が入力されるまで、ステップＳ４からステップＳ７のサイクルを反復する。
【００１９】
ここでユーザが、たとえば、次に入力すべき数字（この場合は「２」）を失念して、テレビ番組表などで確認するために、現時点での選局待機時間の２秒以上の時間が空費された場合を想定する。その間、先に説明したように、ステップＳ４からステップＳ７のサイクルが反復されているので、選局待機時間の２秒が経過した時点で、ステップＳ７で選局待機時間が終了したものと判定される（ステップＳ７のＹ）。選局待機時間が終了したという情報がタイマー管理部２３から制御部２４に伝達される。次に、その情報が制御部２４からチューナ１０に伝達され、チャンネル番号「００１」の放送波が選局され（ステップＳ９）、一連の動作が終了する。
【００２０】
しかし、このチャンネル番号「００１」はユーザ所望のチャンネル番号「１２３」ではないので、ユーザはもう一度チャンネル番号の入力操作を初めからやりなおさなければならず、「１」を入力した作業がまったく無駄になってしまう。この不都合を解消するために、本発明では、図３の画像５１が表示された時点、すなわち次の数字（この場合は「２」）を入力するまでの選局待機時間が２秒の時点で、リモコン送信機１の一時停止キー４を押下げることにより、選局待機時間のタイマーカウントを一時停止するコマンドを指示することができる。この一時停止コマンドは、リモコン送信機１からテレビ放送受信機２の制御部２４経由タイマー管理部２３に伝達され、選局待機時間のタイマーカウントが一時停止される。その結果、図３の画像５２が示すように、残存する選局待機時間の２秒を示す黒いマスが図３の画像５０、５１の正方形のマスから細長い矩形のマスに形状を変えて表示されるので、選局待機時間のタイマーカウントが残存待機時間２秒の時点で一時停止されたことをユーザは知ることができる。これにより、ユーザは焦らずに余裕をもって、次に入力すべき数字（この場合は「２」）を確認することができる。以上の説明では、選局待機時間のタイマーカウントを一時停止するコマンドを指示するために、ユーザはリモコン送信機１の一時停止キー４を押下げることとしたが、この一時停止キー４の押下げに替えて、最後に入力した数字の数値キー（この場合は「１」）を、たとえば１秒以上長押しすることによって、一時停止コマンドを指示できるようにしてもよい。
【００２１】
このようにして、次に入力すべき数字の「２」を確認したユーザは、最初の数字の「１」を入力したときと同じ操作により、テンキー３で「２」の数値キーを押下げる（ステップＳ４のＹ）。次にステップＳ８で、今回新たに入力された数字（この場合は「２」）で、ダイレクト入力（テンキー３などの数値キーによる入力）による選局が確定したかどうかが問われる。選局が確定した場合は、後述するように、リモコン送信機１の決定キー５を押下げることで、ユーザはただちに所望の番組を視聴することができるが、この事例では、ユーザはまだ最後の数字である「３」を入力しなければならないので、決定キー５を押下げることはしない（ステップＳ８のＮ）。従ってステップＳ２に戻り、最初のチャンネル番号の「１」の入力後に次の数字（この場合は「２」）を入力するための選局待機時間のカウントをリセットして、いま入力したチャンネル番号の「２」に続く次の数字（この場合は「３」）が入力されるまでの選局待機時間のタイマーカウントが再開される。
【００２２】
ステップＳ４で、２つ目の数字（この場合は「２」）が入力されたという情報が、リモコン送信機１からテレビ放送受信機２の制御部２４経由タイマー管理部２３に伝えられる。この情報に基づき、タイマー管理部２３は、１つ目の数字（この場合は「１」）についてカウントされていたタイマーカウントをリセットして、２つ目の数字（この場合は「２」）についてのタイマーカウントを再開するように、制御部２４に指示をあたえる。これにより、図３の画像５３に示すように、３つの黒く塗りつぶされたマスによって、次の数字（この場合は「３」）が入力されるまでの選局待機時間が３秒であることが表示される。同時に、これまでに入力されたチャンネル番号「１２」が、選局待機時間を表示する３つのマスの下に表示されている。図3の画像５３が表示されることによって、ユーザは次の数字（この場合は「３」）を入力するまでの選局待機時間が３秒であることを容易に知ることができる。
【００２３】
ユーザが最後の数字の「３」を、リモコン送信機１のテンキー３のなかから数値キー「３」を押下げることによって、入力すると（ステップＳ４のＹ）、図３の画像５４に示す画面が表示される。所望の「１２３」のチャンネル番号の入力が完了したので、これ以上、リモコン送信機１のテンキー３の押下げ操作は行う必要がない。そこで、先に説明したように、図３の画像５３に示す選局待機時間の３秒がすべて消費されるまで、ステップＳ４からステップＳ７のサイクルが反復され、選局待機時間の３秒が経過した時点で、ステップＳ７で選局待機時間が終了したものと判定される（ステップＳ７のＹ）。選局待機時間が終了したという情報がタイマー管理部２３から制御部２４に伝達される。次に、その情報が制御部２４からチューナ１０に伝達され、チャンネル番号「１２３」の放送波が選局され（ステップＳ９）、一連の動作が終了する。
【００２４】
ただし、以上の説明では、ユーザが最後の数字の「３」を入力してから、選局待機時間である3秒が経過するまで、所望の映像を視聴することができないという不都合がある。そこで、この不都合を解消するために、本発明では、図３の画像５４が表示された時点で、
リモコン送信機１の決定キー５を押下げることにより、ユーザは選局を確定するための選局コマンドを指示することができる（ステップＳ８のＹ）。この選局コマンドは、リモコン送信機１からテレビ放送受信機２の制御部２４に伝達され、その情報が制御部２４からチューナ１０に伝達され、チャンネル番号「１２３」の放送波が選局され（ステップＳ９）、一連の動作が終了して、図３の画像５５に示す番組放映画面が表示される。これにより、所望のチャンネル番号の入力を完了したユーザは、ただちに所望の番組を視聴することができる。
【００２５】
これまでのところは、アナログ放送波で放映される番組を視聴する場合について、本発明によるチャンネル選局待機時間表示装置の動作を説明したが、以下、デジタル放送波で放映される番組を視聴する場合について、説明を加える。アナログ放送波のチャンネル番号は３桁の数字で構成されているものとして説明したが、デジタル放送波のチャンネル番号は、３桁の数字からなるメジャーチャンネル番号と、３桁の数字からなるマイナーチャンネル番号とで構成され、メジャーチャンネル番号とマイナーチャンネル番号の間は“−”（ハイフン）でつながれているものとする。
【００２６】
先ず、図２のフローチャートのスタートで、ユーザはデジタル放送波で放映される番組を視聴しようとして、リモコン送信機１のデジタル放送波を選択する放送波種類選択キー３１を押下げる。本事例では、デジタル放送波のチャンネル番号は、３桁の数字からなるメジャーチャンネルと、３桁の数字からなるマイナーチャンネル番号とで構成され、メジャーチャンネル番号とマイナーチャンネル番号の間は“−”（ハイフン）でつながれているものとして、以下説明を進める。デジタル放送波が選択されたことを示す信号が、リモコン送信機１の信号送信部７から、テレビ放送受信機２のリモコン受光部８を経て、マイコン９の制御部２４経由タイマー桁数判断部２２に伝送される。タイマー桁数判断部２２では、伝送された当該信号に基づいて、選択されたデジタル放送波のチャンネル番号の合計桁数である６桁に関連付けて、選局待機時間をたとえば６秒として設定する。こうして設定された選局待機時間６秒という情報が、当該タイマー桁数判断部２２から制御部２４に伝送される。先のアナログ放送波選局の場合は、チャンネル番号の桁数に等しい３つのマスを表示させることで、次の数字を入力するまでの選局待機時間が３秒であることを示していたが、６桁のチャンネル番号のデジタル放送波を選局する場合は、チャンネル番号の桁数に等しい６つのマスを表示させることで、次の数字を入力するまでの選局待機時間が６秒であることを示しようにしてある。
【００２７】
さて、ユーザがデジタル放送の「００５−００１」のチャンネル番号を選局しようとする場合、所望の「００５−００１」のチャンネル番号を入力するために、先のアナログ放送波の選局と同じステップを経て、リモコン送信機１のテンキー３のなかから「０」、「０」、「５」の３つの数字をリモコン送信機１のテンキー３を３回操作して入力する。「００５」の３桁の数字が入力されると、制御部２４は自動的に“−”（ハイフン）を映像表示部１４に表示させる。あるいは、この“−”（ハイフン）の表示については、「０」、「０」の入力を省いて、最初に「５」の数字を入力し、その後で、“−”（ハイフン）を表すリモコン送信機１の特定のキーを押下げることによって表示させるようにしても差し支えない。
【００２８】
メジャーチャンネル番号の「００５−」の入力が終わり、次にユーザがマイナーチャンネル番号の「１」を入力すると（ステップＳ４のＹ）、ステップＳ８のＮ、ステップＳ２を経て、ステップＳ３で、図４の画像６０に示す画面が映像表示部１４に表示される。この画面により、ユーザは、これまでに入力したチャンネル番号が「００５−１」であることと、次の数字（この場合は、これ以上の数字の入力はない）を入力するまでの選局待機時間が６秒であることを容易に知ることができる。この状態を放置したままでいると、ステップＳ４からステップＳ７を反復し、時間の経過とともに、図４の画像６１、画像６２に示すように、選局待機時間が6秒から１秒ずつ減っていき、画像６３では残りの選局待機時間が１秒であることを示す画面が表示される。画像６３が表示された時点からさらに１秒が経過すると、ステップＳ７で選局待機時間が終了したと判定され（ステップＳ７のＹ）、選局待機時間が終了したという情報がタイマー管理部２３から制御部２４に伝達される。次に、その情報が制御部２４からチューナ１０に伝達され、チャンネル番号「００５−００１」の放送波が選局され（ステップＳ９）、一連の動作が終了して、図４の画像６４に示す番組放映画面が表示される。
【００２９】
ただし、以上の説明では、ユーザが最後の数字の「１」を入力してから、選局待機時間である６秒が経過するまで、所望の映像を視聴することができないという不都合がある。この場合は、先にアナログ放送波の選局の場合で説明したように、図４の画像６０が表示された時点で、リモコン送信機１の決定キー５を押下げることで、ユーザは選局を確定するための選局コマンドを指示することができ（ステップＳ８のＹ）、これによりチャンネル番号「００５−００１」の放送波が選局され（ステップＳ９）、一連の動作が終了して、図４の画像６４に示す番組放映画面が表示される。これにより、所望のチャンネル番号の入力を完了したユーザは、ただちに所望の番組を視聴することができる。
【００３０】
本発明では、次の数字を入力するまでの選局待機時間を、複数のマスの数と、当該マスの色の変化の組み合わせで表示しているが、この表示に替えて、模式的な時計による表示や、交通信号のように青・黄・赤に段階的に色を変化させるようにした表示や、それらに警報音などを組み合わせた表示など、さまざまなバリエーションが可能である。
【００３１】
以上により、本発明によるチャンネル選局待機時間表示装置の構成の実施例と動作の実施例について詳述したが、本発明は上述の実施例に限定されるものではなく、本発明の要旨の範囲内で種々の変形実施が可能である。
【図面の簡単な説明】
【００３２】
【図１】本発明のチャンネル選局待機時間表示装置を応用したリモコン送信機とテレビ放送受信機の実施例の構成を示すブロック図である。
【図２】図１の実施例の動作を説明するためのフローチャートである。
【図３】本発明のチャンネル選局待機時間表示装置におけるチャンネル番号および選局待機時間の表示変化の一例を示す図である。
【図４】本発明のチャンネル選局待機時間表示装置におけるチャンネル番号および選局待機時間の表示変化の一例を示す図である。
【符号の説明】
【００３３】
１    リモコン送信機
２    テレビ放送受信機
９    マイコン
１４  映像表示部
２２  タイマー桁数判断部
２３  タイマー管理部
２４  制御部
２５  ＯＳＤ表示部
【図１】
2008091973.tif 000003
【図２】
2008091973.tif 000004
【図３】
2008091973.tif 000005
【図４】
2008091973.tif 000006